(57)【特許請求の範囲】
【請求項１】
内部にバーナー部を兼ねる混合室を有した混合部と、前記混合室の下方に配置され縮流部及びスロート部を介して前記混合室に連通する蓄熱室と、を備え、
前記混合部の周囲には、該混合部を囲んで燃料ガス用分岐管と空気用分岐管とが設けられ、
前記燃料ガス用分岐管には、該燃料ガス用分岐管内に燃料ガスを供給するための燃料供給用配管が接続されるとともに、前記混合部に接続して前記混合室内に燃料ガスを吹き込むための複数の燃料用ノズル管が接続され、
前記空気用分岐管には、該空気用分岐管内に燃焼用空気を供給するための空気供給用配管が接続されるとともに、前記混合部に接続して前記混合室内に燃焼用空気を吹き込むための複数の空気用ノズル管が接続され、
前記燃料用ノズル管と前記空気用ノズル管とは、最も近距離で隣り合って上下に重なる一対から吹き出された燃料ガスと燃焼用空気とが互いに衝突するように斜めに配置されていることを特徴とする頂部燃焼式熱風炉。
【請求項２】
前記燃料用ノズル管には、それぞれ開閉弁が設けられていることを特徴とする請求項１記載の頂部燃焼式熱風炉。
【請求項３】
前記混合部には、その外壁と前記混合室との間に耐火物層が設けられ、該耐火物層には、前記燃料用ノズル管に連通し、かつ前記混合室内に通じる燃料用孔と、前記空気用ノズル管に連通し、かつ前記混合室内に通じる空気用孔とが形成されていることを特徴とする請求項１又は２に記載の頂部燃焼式熱風炉。
【請求項４】
前記燃料ガス用分岐管および空気用分岐管は、いずれも円環状に形成されていることを特徴とする請求項１〜３のいずれか一項に記載の頂部燃焼式熱風炉。
【発明の詳細な説明】
【技術分野】
【０００１】
本発明は、頂部燃焼式熱風炉に関する。
【背景技術】
【０００２】
高炉に熱風（高温空気）を常時安定して送るための設備として、熱風炉が知られている。このような熱風炉としては、従来、外燃式（二筒式）と内燃式（単筒式内部分割型）の、二つのタイプのものが、高炉の容量に合わせて用いられている。
外燃式熱風炉は、燃焼筒と蓄熱筒とが炉頂部で互いに接続する構造のものである（例えば、特許文献１参照）。しかし、このような外燃式熱風炉では、高温送風が可能であるものの、二筒式であるため内燃式に比べ物量が大きく、設備が大型になりやすい。また、燃焼部と蓄熱部とで内部温度が異なることから、炉頂接続部において熱膨張差が発生し、内部の耐火物が損傷する可能性がある。
【０００３】
内燃式熱風炉は、一つの鉄筒を耐火物の隔壁によって二室に分割し、燃焼部と蓄熱部とを形成した構造である（例えば、特許文献２参照）。しかし、このような内燃式熱風炉では、外燃式に比べ高温送風や大容量化（大型化）が困難である。また、隔壁が燃焼部と蓄熱部との温度差によって損傷する可能性がある。
【０００４】
そこで、近年では、これら外燃式熱風炉や内燃式熱風炉の問題を解決する技術として、頂部燃焼型単筒式の熱風炉が提案されており、代表的なものとしてKalugin型の熱風炉（例えば、特許文献３参照）が知られている。この熱風炉は、燃焼と蓄熱を一つの容器（筒）内で行う内燃式のもので、頂部にバーナー部を設置してここで燃焼を起こさせるようにしたものであり、大型化が可能でかつ高温送風が可能であるなどの利点を有する。
【先行技術文献】
【特許文献】
【０００５】
【特許文献１】特開昭５３−１３１９０６号公報
【特許文献２】特開昭５２−１４１４０４号公報
【特許文献３】国際公開第２００９／００８７５８号パンフレット
【発明の概要】
【発明が解決しようとする課題】
【０００６】
しかしながら、前記特許文献３に記載された頂部燃焼型単筒式の熱風炉では、バーナー部のチャネルなどの構造が複雑なため、設計、製作、据付が非常に困難である。さらに、前記特許文献３の熱風炉では、供給する燃料ガスや燃焼用空気の圧損が非常に大きい。
また、その他の上部燃焼型単筒式の熱風炉にあっても、燃焼状態や寿命などの点で、満足なものが提供されていないのが現状である。
【０００７】
本発明は前記事情に鑑みてなされたもので、その目的とするところは、簡易な構成からなり、しかも供給する燃料ガスや燃焼用空気の圧損の低減化も可能にした、頂部燃焼式熱風炉を提供することにある。
【課題を解決するための手段】
【０００８】
本発明の頂部燃焼式熱風炉は、内部にバーナー部を兼ねる混合室を有した混合部と、前記混合室の下方に配置されて該混合室に連通する蓄熱室とを備え、
前記混合部の周囲には、該混合部を囲んで燃料ガス用分岐管と空気用分岐管とが設けられ、
前記燃料ガス用分岐管には、該燃料ガス用分岐管内に燃料ガスを供給するための燃料供給用配管が接続されるとともに、前記混合部に接続して前記混合室内に燃料ガスを吹き込むための複数の燃料用ノズル管が接続され、
前記空気用分岐管には、該空気用分岐管内に燃焼用空気を供給するための空気供給用配管が接続されるとともに、前記混合部に接続して前記混合室内に燃焼用空気を吹き込むための複数の空気用ノズル管が接続されていることを特徴としている。
【０００９】
この頂部燃焼式熱風炉によれば、特にバーナー部を兼ねる混合室の構造が、複数の燃料用ノズル管と複数の空気用ノズル管とに連通するようにしただけの、簡易な構成からなるため、設計や製作などの点で有利になる。また、燃料ガス用分岐管を介して燃料供給用配管に複数の燃料用ノズル管を接続し、空気用分岐管を介して空気供給用配管に複数の空気用ノズル管を接続しているので、燃料供給用配管と燃料ガス用分岐管と複数の燃料用ノズル管との間の各接続部、および空気供給用配管と空気用分岐管と複数の空気用ノズル管との間の各接続部については、全て混合部の外側で加工が可能になる。したがって、混合部内の構造に関係なく、各管間の接続について、圧損が低くなる構造を採用することが可能になる。
【発明の効果】
【００１０】
本発明によれば、簡易な構成からなり、しかも供給する燃料ガスや燃焼用空気の圧損の低減化も可能にした、頂部燃焼式熱風炉を提供することができる。
【図面の簡単な説明】
【００１１】
【図１】本発明の頂部燃焼式熱風炉の一実施形態の概略構成を示す、一部断面視した側面図である。
【図２】本発明の頂部燃焼式熱風炉の一実施形態を示す図であり、（ａ）は側断面図、（ｂ）は平面図である。
【図３】混合部の外壁側の要部側断面図である。
【発明を実施するための形態】
【００１２】
以下、図面を参照して本実施形態の頂部燃焼式熱風炉を詳しく説明する。なお、以下の説明に用いる各図面では、各部材を認識可能な大きさとするため、各部材の縮尺を適宜変更している。
【００１３】
頂部燃焼式熱風炉１は、図１、図２（ａ）に示すように全体が有蓋有底円筒状の熱風炉であって、特に頂部（上部）に有蓋筒状の混合部２を有し、該混合部２の下方に有底円筒状の蓄熱部３を有したものである。蓄熱部３は、混合部２に対し、縮流部４及びスロート部５を介して接続されたものである。また、混合部２には、燃料ガスおよび燃焼用空気を導入するための配管系３０が接続されている。なお、この頂部燃焼式熱風炉１は、外燃式（２筒式）と内燃式（単筒式）とに大きく分けた場合、内燃式に分類されるものである。
【００１４】
混合部２は、ドーム形状の天蓋部２ａと、その下方に設けられた円筒部２ｂと、該円筒部２ｂの底部から内側（中心側）に延びて円筒部２ｂの下部開口を小さくする縮径部２ｃと、からなるもので、内部に混合室６を形成したものである。なお、混合部２には、その外壁と混合室６との間に、混合室６を囲んで煉瓦等の耐火物からなる耐火物層７が設けられている。
【００１５】
混合部２には、図１、図２（ｂ）に示すようにその円筒部２ｂの周囲に、該混合部２を囲んだ状態で燃料ガス用分岐管８と空気用分岐管９とが配設されている。これら燃料ガス用分岐管８および空気用分岐管９は、前記配管系３０を構成するもので、共に同じ大きさの円環状（リング状）のものであり、本実施形態では燃料ガス用分岐管８が上側に配置され、空気用分岐管９が下側に配置されている。
【００１６】
燃料ガス用分岐管８には燃料供給用配管１０が接続されており、燃料供給用配管１０には図１に示すようには燃料ガス供給源１１が接続されている。また、燃料供給用配管１０にはパージ用配管１２が分岐して接続されており、パージ用配管１２には、不活性ガスである窒素をパージガスとして供給するパージガス供給源１３が接続されている。燃料供給用配管１０には、第１開閉弁１４がパージ用配管１２と燃料ガス供給源１１との間に設けられており、パージ用配管１２には、第２開閉弁１５が設けられている。
【００１７】
ここで、燃料ガス供給源１１は混合部２から遠い位置に配設されており、したがって燃料供給用配管１０はその長さが例えば１０数ｍから数十ｍ程度の長い配管となっている。また、頂部燃焼式熱風炉１の容量等にもよるものの、燃料供給用配管１０はその外径が１４００Ａ程度の大きな配管となっている。したがって、この燃料供給用配管１０に配置される第１開閉弁１４は、非常に大きなものとなっており、重量が数トンの重量物となっている。
一方、空気用分岐管９には空気供給用配管１６が接続されており、空気供給用配管１６には空気供給源１７が接続されている。また、空気供給用配管１６には第３開閉弁１８が設けられている。
【００１８】
なお、燃料供給用配管１０によって混合室６内に供給する燃料ガスの、燃料供給源１１側での供給圧は、本実施形態の頂部燃焼式熱風炉１が適用される高炉プラントの仕様によって決まっている。したがって、特に燃料供給用配管１０や燃料ガス用分岐管８、後述する燃料用ノズル管１９での圧損は、混合室６内に供給する燃料ガスの流量に大きく影響する。すなわち、十分でかつ安定した流量の燃料ガスを混合室６内に供給するためには、燃料ガスの供給系全体での圧損を小さくすることが重要になっている。また、同様に燃焼用空気の供給系全体での圧損についても、小さくすることが求められている。
【００１９】
前記燃料ガス用分岐管８には複数の燃料用ノズル管１９が接続され、前記空気用分岐管９には複数の空気用ノズル管２０が接続されている。燃料用ノズル管１９は、図２（ｂ）に示すように円環状の燃料ガス用分岐管８から混合室６（混合部２）の中心に向かって延び、図１に示すように混合部２の円筒部２ｂの外壁面に接続したものである。また、これら燃料用ノズル管１９には、その全てにそれぞれノズル用開閉弁１９ａが設けられている。
【００２０】
ノズル用開閉弁１９ａは、例えば電磁弁からなるもので、全て図示しない制御部に電気的に接続され、該制御部によって開閉動作が制御されるようになっている。ここで、燃料用ノズル管１９はその外径が１５０Ａから２００Ａとなっており、したがってノズル用開閉弁１９ａもこの燃料用ノズル管１９の外径に対応して比較的小さく、軽量な弁からなっている。
【００２１】
空気用ノズル管２０は、平面視した状態で前記燃料用ノズル管１９に重なるように配置されたもので、円環状の空気用分岐管９から混合室６（混合部２）の中心に向かって延び、混合部２の円筒部２ｂの外壁面に接続したものである。なお、空気用ノズル管２０には開閉弁が設けられておらず、したがって空気用分岐管９内と混合部２内の混合室６とは空気用ノズル管２０を介して直接連通している。
【００２２】
また、これら燃料用ノズル管１９や空気用ノズル管２０は、図３に示すように、混合部２の円筒部２ｂの外壁部にのみ接続している。ここで、これら燃料用ノズル管１９と空気用ノズル管２０とは、上下に重なる一対の各ノズル管１９、２０が、その吹き込み方向を互いに相手側のノズル管の吹き込み方向に交差するように斜めに配置されている。すなわち、燃料用ノズル管１９はその先端側を斜め下方に向けて配置されており、空気用ノズル管２０はその先端側を斜め上方に向けて配置されている。
【００２３】
なお、燃料用ノズル管１９および空気用ノズル管２０の本数については、複数であれば特に限定されないものの、燃料ガスおよび燃焼用空気を混合室６内に均一に導入するためには、４本以上であるのが好ましく、８本以上であるのがさらに好ましい。ただし、これら燃料用ノズル管１９および空気用ノズル管２０の、燃料ガス用分岐管８や空気用分岐管９に対する接続位置については、当然ながら、これら燃料ガス用分岐管８や空気用分岐管９の周方向において、等間隔で配置されるものとする。
【００２４】
また、耐火物層７には、燃料用ノズル管１９に連通し、かつ混合室６内に通じる燃料用孔２１と、空気用ノズル管２０に連通し、かつ混合室６内に通じる空気用孔２２とが、それぞれ形成されている。ここで、耐火物層７は、煉瓦等の耐火物が外壁の内面の面方向に沿って上下方向に積層され、かつ、外壁側と混合室６側との二重構造に形成されたものである。したがって、燃料用孔２１および空気用孔２２は、前記二重構造の外側および内側の両方に形成されている。なお、このような燃料用孔２１や空気用孔２２については、単純な貫通孔であるため、その加工が比較的容易になっている。
【００２５】
また、これら燃料用孔２１および空気用孔２２は、それぞれ燃料用ノズル管１９や空気用ノズル管２０の吹き込み方向に沿って形成されている。したがって、燃料用ノズル管１９から燃焼用孔２１を通って混合室６内に吹き込まれた燃料ガスと、空気用ノズル管２０から空気用孔２２を通って混合室６内に吹き込まれた燃焼用空気とは、混合室６内にて衝突し、これによって互いに混合するようになっている。
【００２６】
このような構成のもとに混合部２は、その混合室６内がバーナー部として機能するようになっている。すなわち、本実施形態の頂部燃焼式熱風炉１は、常時１４００℃〜１５００℃程度に加熱されるため、燃料ガスと燃焼用空気とが混合室６内に供給され、これらが所定の混合度に混合されると、自然発火するようになっている。つまり、これらノズル管１９、２０の開口部のやや下方から、後述する縮流部４、スロート部５にかけて、燃焼が起こるようになっている。ここで、燃料供給用配管１０から混合室６内に供給される燃料ガスの量（供給流量）と、空気供給用配管１６から混合室６内に供給される燃焼用空気の量（供給流量）との比は、特に限定されないものの、本実施形態では例えばほぼ１：１となるように設定される。
【００２７】
なお、図１に示すように前記の燃料供給用配管１０、燃料ガス用分岐管８、燃料用ノズル管１９、および空気供給用配管１６、空気用分岐管９、空気用ノズル管２０により、前記配管系３０が構成されている。これら配管系３０については、混合部２に対して安定した接続構造が保持されるよう、例えばスロート部５または蓄熱部３の外壁に複数の補強支持柱（図示せず）が設けられ、これら補強柱で例えば燃料ガス用分岐管８および空気用分岐管９が支持されるようになっている。
【００２８】
縮流部４は、混合部２の縮径部２ｃに接続した円筒状のもので、混合室６に連通する縮流路４ａを内部に形成したものである。スロート部５は、縮流部４に接続した円錐台形状のもので、縮流路４ａに連通する拡径路５ａを内部に形成したものである。このような構成によって縮流路４ａおよび拡径路５ａは、混合室６の内径を一旦縮めた後、再度拡径することにより、燃料ガスと燃焼用空気との混合度を高め、かつ、燃焼による熱膨張の影響を抑えて燃焼ガスを均一な流速で下降させるようになっている。
【００２９】
蓄熱部３は、スロート部５に接続した円筒状のもので、内部に蓄熱室３ａを形成し、さらに上部（スロート部５側）に熱風供給管２３を接続し、底部に煙道管２４を接続したものである。蓄熱室３ａには、その底部に設けられた蓄熱用煉瓦受金物２５上に、蓄熱用煉瓦２６が積層されており、混合室６側での燃焼によって生じた熱が、蓄熱用煉瓦２６に蓄積されるようになっている。熱風供給管２３は、高炉側に接続するもので、後述するように蓄熱用煉瓦２６に蓄積された熱を有する熱風を、高炉側に供給するためのものである。
【００３０】
煙道管２４は、蓄熱用煉瓦受金物２５の側方に配置されたもので、煙道弁２７を有し、さらに排気ダクト（図示せず）に接続したものである。また、この煙道管２４には、煙道弁２７より蓄熱部３側に、送風管２８が分岐して設けられている。この送風管２８には、送風弁２９、送風機（図示せず）が設けられている。
【００３１】
このような構成からなる頂部燃焼式熱風炉１では、まず、送風弁２９を閉じ、煙道弁２７を開いた状態で、かつ、前記燃料用ノズル管１９のノズル用開閉弁１９ａを開いた状態で、燃料供給用配管１０から燃料ガス用分岐管８、燃料用ノズル管１９を介して燃料ガスを混合室６に供給する。同時に、空気供給用配管１６から空気用分岐管９、空気用ノズル管２０を介して燃焼用空気を混合室６に供給する。
【００３２】
すると、これら燃料ガスおよび燃焼用空気は、耐火物層７に形成された燃料用孔２１、空気用孔２２をそれぞれ通って混合室６内に導入される。そして、上下に位置するノズル管１９、２０から導入された燃料ガスと燃焼用空気とが互いに衝突して混ざり合い、さらには他のノズル管１９、２０から導入された燃料ガスおよび燃焼用空気とも混ざり合うことにより、燃焼する。また、このような燃焼は、燃料ガスと燃焼用空気との混合ガスが蓄熱部３側に流動しつつ起こるため、燃焼ガスは蓄熱室３ａ内の蓄熱用煉瓦２６と接触し、熱交換する。したがって、蓄熱用煉瓦２６は、燃焼ガスと熱交換して得た熱を蓄積する。また、熱交換後の燃焼ガス（排ガス）は、煙道管２４を通って排気ダクトに案内される。
【００３３】
このようにして蓄熱用煉瓦２６への蓄熱を行った後、高炉側へ熱風を送るには、送風弁２９を開き、煙道弁２７を閉じ、さらに前記燃料用ノズル管１９のノズル用開閉弁１９ａを閉じた状態で、送風機を作動させる。すると、送風管２８から煙道管２４を通って蓄熱室３ａに流入した空気は、蓄熱用煉瓦２６と熱交換することで蓄熱用煉瓦２６に蓄積された熱を受け、熱風となって熱風供給管２３から排出され、高炉側に供給される。
【００３４】
ここで、従来ではこのように混合室６内に燃料ガスと燃焼用空気とを導入して混合室６内で燃焼を起こさせた後、送風運転に切り換える際には、混合室６内に燃料ガスが残留していると発火するおそれがあるため、不活性ガスによるパージを行っている。具体的には、図１に示す燃料供給用配管１０に設けた第１開閉弁１４を閉じ、パージ用配管１２に設けた第２開閉弁１５を開いてパージガス供給源１３からパージガスとしての窒素を圧送する。その際、燃料供給用配管１０は大径であり、かつ長さが長いので、パージに時間がかかって工程の時間的ロスが大きくなっている。また、パージに用いる窒素等のコストも、コスト低減化を妨げる一因になっている。
【００３５】
これに対して本実施形態では、燃料用ノズル管１９にそれぞれノズル用開閉弁１９ａを設けているので、燃焼運転後、送風運転に切り換える際、前記のパージ操作を行うことなく単にノズル開閉弁１９ａを閉じるだけで、燃焼運転に続いて送風運転を行うことができる。すなわち、ノズル開閉弁１９ａより混合室６側に残留する燃料ガスは僅かであるため、この残留燃料ガスによって発火するおそれはほとんどなく、また、仮に発火が起こってもほとんど僅かにしか起こらず、すぐに残留燃料ガスが燃え尽きるからである。
【００３６】
以上説明したように本実施形態の頂部燃焼式熱風炉にあっては、バーナー部として機能し、したがってバーナー部を兼ねる混合室６の構造を、複数の燃料用ノズル管１９と複数の空気用ノズル管２０とに連通するようにしただけの簡易な構成としているため、設計や製作などの点で有利になり、長寿命化やメンテナンス性の向上を図ることができるとともに、製造コストの低減化を図ることもできる。
【００３７】
また、燃料ガス用分岐管８を介して燃料供給用配管１０に複数の燃料用ノズル管１９を接続し、空気用分岐管を９介して空気供給用配管１６に複数の空気用ノズル管２０を接続しているので、燃料供給用配管１０と燃料ガス用分岐管８と複数の燃料用ノズル管１９との間の各接続部、および空気供給用配管１６と空気用分岐管９と複数の空気用ノズル管２０との間の各接続部については、全て混合部２の外側で加工が可能になっている。したがって、混合部２内の構造、例えば耐火物層７に関係なく、各管間の接続について、圧損が低くなる構造を採用することができる。よって、供給する燃料ガスや燃焼用空気の圧損を低減化することができるため、良好な混合を行うことができ、燃焼の高効率化を図ることができる。
【００３８】
また、燃料用ノズル管１９にそれぞれノズル用開閉弁１９ａを設け、燃焼運転後、送風運転に切り換える際、パージ操作を行うことなく単にノズル開閉弁１９ａを閉じるだけで、燃焼運転に続いて送風運転を行うことができるようにしたので、パージによる工程の時間的ロスをなくし、さらにパージに用いる窒素等のコストについてもこれを大幅に削減し、熱風炉１の運転に要するコストの低減化を図ることができる。
【００３９】
また、耐火物層７に単に燃料用孔２１と空気用孔２２とを形成し、これら各孔２１、２２に燃料用ノズル管１９、空気用ノズル管２０をそれぞれ連通させているので、耐火物層７については、複雑な流路を形成することなく単なる孔（燃料用孔２１、空気用孔２２）を形成するだけでよく、したがって耐火物層７の構造を簡易にすることができるとともに、このような耐火物層７や混合室６を含む混合部２の構成をより簡易にすることができる。また、耐火物層７における圧損も、複雑な流路を形成する場合に比べ、十分に小さくすることができる。
【００４０】
また、燃料ガス用分岐管８および空気用分岐管９を、共に円環状に形成しているので、燃料供給用配管１０と燃料ガス用分岐管８との間や空気供給用配管１６と空気用分岐管９との間の圧損、さらには燃料ガス用分岐管８と燃料用ノズル間１９との間や空気用分岐管９と空気用ノズル管２０との間の圧損を十分に低減化することができる。
【００４１】
なお、本発明は前記実施形態に限定されることなく、本発明の主旨を逸脱しない範囲で種々の変更が可能である。
例えば、前記実施形態では、燃料用ノズル管１９と空気用ノズル管２０とを、それぞれ混合室６の中心に向かって延びるように配置し、したがってその吹き込み方向が混合室６の中心に向かうように配置したが、各ノズル管１９、２０から導入する燃料ガス、燃焼用空気が、それぞれ混合室６の内周面（耐火物層７の内周面）に沿って流れ、これによって旋回流を形成するようにしてもよい。
【００４２】
このようにすれば、混合室６内に導入された燃料ガスと燃焼用空気とが旋回流を形成することで良好に混合するようになり、したがってより良好に燃焼が起こることで燃焼領域において均一な温度分布が得られるようになる。よって、温度差や熱膨張差によって内部の耐火物が損傷するのが抑制され、耐久性が向上する。
【００４３】
また、このように旋回流を形成するように燃料用ノズル管１９と空気用ノズル管２０とを配置する場合、これら各ノズル管１９、２０から導入された燃料ガスと燃焼用空気とが、前記したように導入後直ちに衝突するように構成することなく、旋回流を形成することで徐々に混合されるように構成してもよい。
また、前記実施形態では、燃料ガス用分岐管８を上側に配置し、空気用分岐管９を下側に配置したが、逆に、燃料ガス用分岐管８を下側に配置し、空気用分岐管９を上側に配置してもよい。
【符号の説明】
【００４４】
１…頂部燃焼式熱風炉、２…混合部、３…蓄熱部、３ａ…蓄熱室、６…混合室、７…耐火物層、８…燃料ガス用分岐管、９…空気用分岐管、１０…燃料供給用配管、１６…空気供給用配管、１９…燃料用ノズル管、１９ａ…ノズル用開閉弁、２０…空気用ノズル管、２１…燃料用孔、２２…空気用孔
【図１】
0005842341.tif 000002
【図２】
0005842341.tif 000003
【図３】
0005842341.tif 000004